(57)【要約】【課題】従来の測定装置で、試験対象の電子機器での測定項目毎のデータの推移を参照するには、測定履歴一覧よりデータ選択、詳細表示を繰り返し行う必要があった。  本発明の目的は、試験対象の電子機器の性能を測定する測定装置において、測定履歴より選択した測定結果の詳細表示から任意の測定項目を選択し、測定日時の異なる測定結果から抜き出し、選択した項目の測定値の推移や、測定内容の詳細を表示するものである。【解決手段】本発明の測定装置は、電子機器から出力する出力信号を測定する測定手段と、測定手段で測定した測定値の良否を判定する判定手段と、測定手段で測定した測定値と判定手段で判定した判定結果を記憶する記憶手段と、記憶手段で記憶した測定値と判定結果を表示する表示手段とを備え、表示手段は、電子機器の測定値と、判定結果と、測定値の履歴を仕様値付きでグラフ表示することを特徴とする。【選択図】  図１
2010019695.tif 000002
【特許請求の範囲】
【請求項１】
試験対象の電子機器からの出力信号を測定する測定装置において、
前記電子機器から出力する出力信号を測定する測定手段と、該測定手段で測定した測定値の良否を判定する判定手段と、前記測定手段で測定した測定値と前記判定手段で判定した判定結果を記憶する記憶手段と、前記記憶手段で記憶した測定値と判定結果を表示する表示手段とを備え、
前記表示手段は、前記電子機器の測定値と、判定結果と、前記測定値の履歴を仕様値付きでグラフ表示することを特徴とする測定装置。
【請求項２】
試験対象の電子機器からの出力信号を測定する測定装置の測定結果を表示する表示方法において、
前記電子機器からの出力信号を測定し、該測定した測定値の良否を判定し、前記測定した測定値と判定した判定結果を記憶し、該記憶した測定値と判定結果と測定値の履歴を仕様値付きでグラフを表示することを特徴とする測定装置の試験結果表示方法。
【発明の詳細な説明】
【技術分野】
【０００１】
本発明は、測定装置に係わり、特に測定装置の試験結果の表示に関するものである。
【背景技術】
【０００２】
従来、測定装置はメモリに過去の試験結果を保持しておき、今回の試験で得た測定結果を比較して、特性が劣化した測定項目は他の測定項目と形態を差別化して表示していた（例えば、特許文献１参照。）。
【特許文献１】特開平９−２６４９１５号公報
【発明の開示】
【発明が解決しようとする課題】
【０００３】
従来の測定装置で、試験対象の電子機器での測定項目毎のデータの推移を参照するには、測定履歴一覧よりデータ選択、詳細表示を繰り返し行う必要があった。
【０００４】
本発明の目的は、試験対象の電子機器の性能を測定する測定装置において、測定履歴より選択した測定結果の詳細表示から任意の測定項目を選択し、測定日時の異なる測定結果から抜き出し、選択した項目の測定値の推移や、測定内容の詳細を表示するものである。
【課題を解決するための手段】
【０００５】
本発明の測定装置は、電子機器から出力する出力信号を測定する測定手段と、測定手段で測定した測定値の良否を判定する判定手段と、測定手段で測定した測定値と判定手段で判定した判定結果を記憶する記憶手段と、記憶手段で記憶した測定値と判定結果を表示する表示手段とを備え、表示手段は、電子機器の測定値と、判定結果と、測定値の履歴を仕様値付きでグラフ表示することを特徴とする。
【０００６】
また、本発明の測定装置の試験結果表示方法は、電子機器からの出力信号を測定し、測定した測定値の良否を判定し、測定した測定値と判定した判定結果を記憶し、記憶した測定値と判定結果と測定値の履歴を仕様値付きでグラフを表示することを特徴とする。
【発明の効果】
【０００７】
本発明の測定装置によれば、測定日時の異なる任意の性能試験の測定結果の推移および基準値内か否かを画面上に表示可能とすることにより、機器の測定履歴が視覚的に確認可能となると共に、選択した試験項目の自動測定内容を表示することにより、どのような測定を行った結果であるかも操作者が容易に確認可能となる。
【発明を実施するための最良の形態】
【０００８】
本発明の一実施例を図１〜図６を用いて説明する。図１は本発明の一実施例である測定装置の動作を説明するためのブロック図である。
【０００９】
図１において、測定装置１１は、無線機等の被試験器４１毎に決められた試験内容に応じて自動的に試験を行い、試験で得た測定値を記憶すると共に測定値の良否判定を行い、良否判定結果も記憶するものである。
【００１０】
測定装置１１は、測定装置１１の全体の制御および測定値の良否判定を行う制御部１と、被試験器４１から出力される出力信号である試験信号２１を測定する測定部４−１〜４−Ｎと、被試験器４１と測定部４−１〜４−Ｎ間の測定経路の切替えを行う切替部５と、被試験器４１の制御用インタフェース経由で測定条件等を入力するための操作信号を出力する操作部２と、測定部４−１〜４−Ｎで測定した測定値と測定条件と判定結果を記憶する記憶部９と、記憶部９で記憶した測定値と測定条件と判定結果を表示する表示部３を備えている。
【００１１】
本発明の一実施例の詳細な動作を図１を用いて説明する。
測定装置１１は被試験器４１に応じて自動試験を行う。自動試験を行うため、操作部２は操作信号２２を出力して被試験器４１に対して測定条件等を入力する。制御部１はＣＰＵ（Central Processing Unit）等のプロセッサから構成されていて、試験に際しては被試験器４１の動作制御と、測定部４−１〜４−Ｎで測定した測定値の良否判定と、測定値と測定条件と判定結果を記憶するように記憶部９を制御する。
【００１２】
図２は、本発明の一実施例である測定装置１１の記憶部９に記憶してある試験結果データの階層を説明するための階層表示図で、表示部３に表示したものである。階層は、“試験結果”フォルダの中に被試験器の機種別に“被試験器Ａ，Ｂ，Ｃ，・・・”のフォルダがあり、機種別フォルダの中に個別識別記号である製造番号等の“００１，００２，００３・・・”のファイルがあり、個別識別記号フォルダの中に試験毎の試験データとなっている。この試験データのフォルダをポインティングデバイス等で選択することにより、試験結果データを表示部３に表示することができる。表示部３の右上の“閉じる”をポインティングデバイス等で選択することにより、階層の表示を閉じることができる。
【００１３】
図３は、記憶部９に記憶してあるファイル“003_20080521_112634”の試験結果データを説明するための図である。この試験結果データは、測定装置１１を用いて試験を行った試験結果で、試験の都度、被試験器の機器番号単位で結果を保存した日時データを用いて記憶部９に記憶し、試験結果データを蓄積していく。記憶部９に記憶する試験結果データは、試験実施日時（試験開始／終了時間）等の試験実施情報と、測定項目毎の測定値及び良／否判定データである。
【００１４】
図４は、本発明の一実施例である表示部３に表示した試験結果を説明するための図である。
操作者は、例えば図４の表示部３の測定結果一覧３１に表示されている被試験器のＡ，Ｂ，Ｃ，・・・の中から“Ａ”と、機器番号のプルダウンメニューから“００３” をポインティングデバイス等で選択することにより、制御部１は記憶部９に記憶してある被試験器“Ａ”の機器番号“００３”の該当するフォルダの測定結果データを記憶部９から読み出し、読み出した測定結果データを測定結果一覧３１に表示できるように展開してから表示部３に測定結果一覧３１として表示する。測定結果一覧３１には、被試験器、機器番号、測定日時、測定者、測定結果等を表示する。
【００１５】
また、操作者は、例えば図４に示す測定結果一覧３１の測定日時が“2008年05月21日11時26分34秒”の測定結果を表示部３に表示させたい場合、ポインティングデバイス等で“2008年05月21日11時26分34秒”を選択し、“測定結果表示”を押下することにより、制御部１が測定結果詳細表示３２の試験結果データを記憶部９から読み出して表示部３に表示させる。測定結果詳細表示３２には、測定日時、測定者、測定項目、仕様値、前回の測定値、測定値、単位、判定の結果等を表示する。測定者は、表示部３の測定結果詳細表示３２に表示された“前回の測定値”と“測定値”を比較することにより、測定値の推移を把握することができる。
【００１６】
更に、操作者が例えば測定項目５の測定履歴グラフを表示部３に表示させたい場合は、ポインティングデバイス等で測定項目の“５”を選択し、“測定履歴グラフ表示”を押下することにより、制御部１が測定履歴表示３３の測定結果データを記憶部９から読み出して表示部３に表示させる。測定履歴表示３３は、測定項目名、横軸に測定日、縦軸に測定値と仕様値範囲、測定履歴を折れ線グラフで表示する。
図４の表示部３に表示する測定結果一覧３１、測定結果詳細表示３２、測定履歴表示３３は、個別に表示しても良く、また、組み合わせや配置を変更しても良い。
【００１７】
図５は、本発明の一実施例である表示部３に測定履歴表示をするためのフローチャートである。
操作者が例えば測定項目５の測定履歴グラフを表示部３に表示させたい場合は、ポインティングデバイス等で測定項目の“５”を選択し、“測定履歴グラフ表示”を押下すると、制御部１は、図５の“開始”から制御を開始し、ステップＳ１で測定項目の番号ｎである“５”を取得する。ステップＳ２で結果を表示する被試験器“Ａ”、機器番号“００３”のフォルダ内のファイルを検索する。ステップＳ３で“Ｘ”に数値０を設定する。ステップＳ４で記憶部９に記憶してあるフォルダ“００３”内の全ファイルを検索完了したかを判定し、検索が完了していなければステップＳ５の処理に進み、検索が完了していればステップＳ７の処理に進む。ステップＳ５で“Ｘ”に数値１を加算する。ステップＳ６で測定項目が５番目の測定値を記憶部９から取得（読み出し）し、取得（読み出し）した測定値をＤＡＴＡ（Ｘ）とする。ステップＳ７でＤＡＴＡ（０）〜ＤＡＴＡ（Ｘ）を表示部３の測定履歴表示３３の欄に折れ線で表示して、“終了”で制御を終了する。
【００１８】
グラフ表示の際は選択した測定項目の仕様値内に測定値が収まっているかどうかがわかるように仕様値の範囲を色分けして表示することにより、測定の良否がわかるようにすると共に測定日、測定値を表示し、任意の測定項目での測定履歴が視覚的にわかるようにしても良い。
【００１９】
図６は、本発明の一実施例である測定装置１２の試験内容と機器構成を表示部３に表示した内容を説明するための図である。
【００２０】
被試験器４１の試験は試験装置１２により自動で行われるため、操作者はどのような測定を行った得られた測定値なのか分らないため、図４の“試験内容表示”をポインティングデバイス等で押下することにより、制御部１は表示部３に試験内容と機器構成を表示する。操作者は、表示部３に測定項目名、試験条件、機器構成が表示されるため、試験内容の確認を行うことができる。
【００２１】
図６は、被試験器４１が無線機の場合の試験内容を表示部３に表示したものである。
図６において、表示部３に表示されている内容は、測定項目名、試験条件、測定装置１２の機器構成、測定装置１２内の結線およびインタフェース、測定装置１２と被試験器４１の結線およびインタフェースである。
【００２２】
上述の制御部１および操作部２はＰＣ（パーソナルコンピュータ）でも良い。また、記憶部９は制御部１に内蔵されていても良い。
以上本発明について詳細に説明したが、本発明は、ここに記載された測定装置に限定されるものではなく、上記以外の測定装置等に広く適用することができることは言うまでもない。
【図面の簡単な説明】
【００２３】
【図１】本発明の一実施例である測定装置の動作を説明するためのブロック図である。
【図２】本発明の一実施例である測定装置の記憶部に記憶してある試験結果データの階層を説明するための階層表示図である。
【図３】本発明の一実施例の記憶部に記憶してある試験結果ファイルを説明するための図である。
【図４】本発明の一実施例である表示部に表示した試験結果を説明するための図である。
【図５】本発明の一実施例である表示部に測定履歴表示をするためのフローチャートである。
【図６】本発明の一実施例である測定装置の試験内容と機器構成を表示部に表示した内容を説明するための図である。
【符号の説明】
【００２４】
１：制御部、２：操作部、３：表示部、４−１〜４−Ｎ，６：測定部、５：切替部、９：記憶部、１１，１２：試験装置、４１：被試験器、２１：試験信号、２２：操作信号。
【図１】
2010019695.tif 000003
【図２】
2010019695.tif 000004
【図３】
2010019695.tif 000005
【図４】
2010019695.tif 000006
【図５】
2010019695.tif 000007
【図６】
2010019695.tif 000008